(57)【要約】【課題】適正な視認性を確保することができる表示装置を提供することを目的とする。【解決手段】表示装置１は、車両に関する情報を表す表示光を出射する出射部４１、及び、出射部４１を囲う枠部４２を有する表示部４と、表示部４から出射された表示光を予め定められた目視位置ＥＰ側に反射する反射表示部材５と、枠部４２の反射表示部材５側を覆うマスク部６１、及び、出射部４１を反射表示部材５側に露出させる露出開口部６２を有するマスク部材６と、マスク部材６の反射表示部材５側を覆い、可視光域成分の光を減光する半透明部材７とを備えることを特徴とする。【選択図】図２
2018159660.tif 000002
【特許請求の範囲】
【請求項１】
車両に関する情報を表す表示光を出射する出射部、及び、前記出射部を囲う枠部を有する表示部と、
前記表示部から出射された前記表示光を予め定められた目視位置側に反射する反射表示部材と、
前記枠部の前記反射表示部材側を覆うマスク部、及び、前記出射部を前記反射表示部材側に露出させる露出開口部を有するマスク部材と、
前記マスク部材の前記反射表示部材側を覆い、可視光域成分の光を減光する半透明部材とを備えることを特徴とする、
表示装置。
【請求項２】
前記反射表示部材の前記目視位置側とは反対側に設けられる表示構造体を備え、
前記反射表示部材は、前記表示構造体からの可視光域成分の光を透過させると共に前記目視位置から視て前記表示構造体と重畳する位置に前記表示光による像を表示させる、
請求項１に記載の表示装置。
【請求項３】
前記半透明部材は、前記目視位置から前記反射表示部材を介して視認可能な領域の全体を覆う、
請求項１又は請求項２に記載の表示装置。
【請求項４】
前記表示部、前記反射表示部材、前記マスク部材、及び、前記半透明部材を収容すると共に、前記目視位置側に開口した目視側開口部、及び、前記半透明部材が嵌められる嵌合開口部を有する筐体を備え、
前記嵌合開口部は、縁が前記目視位置から前記反射表示部材を介して視認可能な領域の外側に位置する、
請求項１乃至請求項３のいずれか１項に記載の表示装置。
【請求項５】
前記半透明部材は、前記反射表示部材側の表面に表面反射を低減する反射防止膜が施される、
請求項１乃至請求項４のいずれか１項に記載の表示装置。
【発明の詳細な説明】
【技術分野】
【０００１】
本発明は、表示装置に関する。
【背景技術】
【０００２】
車両等に適用される従来の表示装置として、例えば、特許文献１には、照射ユニットを有する車両用表示装置が開示されている。照射ユニットは、反射部材と向き合うように位置する開口から表示光を照射し、当該反射部材に表示光を投射し乗員に情報を表示する。
【先行技術文献】
【特許文献】
【０００３】
【特許文献１】特開２０１６−０２８９３４号公報
【発明の概要】
【発明が解決しようとする課題】
【０００４】
ところで、上述の特許文献１に記載の車両用表示装置は、例えば、照射ユニットおいて表示光を照射する表示器の枠部等が反射部材に映り込むなどして視認性が悪化するおそれがある。
【０００５】
本発明は、上記の事情に鑑みてなされたものであって、適正な視認性を確保することができる表示装置を提供することを目的とする。
【課題を解決するための手段】
【０００６】
上記目的を達成するために、本発明に係る表示装置は、車両に関する情報を表す表示光を出射する出射部、及び、前記出射部を囲う枠部を有する表示部と、前記表示部から出射された前記表示光を予め定められた目視位置側に反射する反射表示部材と、前記枠部の前記反射表示部材側を覆うマスク部、及び、前記出射部を前記反射表示部材側に露出させる露出開口部を有するマスク部材と、前記マスク部材の前記反射表示部材側を覆い、可視光域成分の光を減光する半透明部材とを備えることを特徴とする。
【０００７】
また、上記表示装置では、前記反射表示部材の前記目視位置側とは反対側に設けられる表示構造体を備え、前記反射表示部材は、前記表示構造体からの可視光域成分の光を透過させると共に前記目視位置から視て前記表示構造体と重畳する位置に前記表示光による像を表示させるものとすることができる。
【０００８】
また、上記表示装置では、前記半透明部材は、前記目視位置から前記反射表示部材を介して視認可能な領域の全体を覆うものとすることができる。
【０００９】
また、上記表示装置では、前記表示部、前記反射表示部材、前記マスク部材、及び、前記半透明部材を収容すると共に、前記目視位置側に開口した目視側開口部、及び、前記半透明部材が嵌められる嵌合開口部を有する筐体を備え、前記嵌合開口部は、縁が前記目視位置から前記反射表示部材を介して視認可能な領域の外側に位置するものとすることができる。
【００１０】
また、上記表示装置では、前記半透明部材は、前記反射表示部材側の表面に表面反射を低減する反射防止膜が施されるものとすることができる。
【発明の効果】
【００１１】
本発明に係る表示装置は、表示部の出射部から出射された表示光を反射表示部材によって目視位置側に反射させる。この構成により、表示装置は、当該反射表示部材に対して目視位置から視認可能なように表示光による表示を行う。この場合に、表示装置は、表示部の出射部を囲う枠部がマスク部材のマスク部によって覆われていることで、枠部や当該枠部と出射部との境界線が反射表示部材に映り込むことを防止することができる。その上で、表示装置は、当該マスク部材の反射表示部材側が可視光域成分の光を減光する半透明部材によって覆われていることで、マスク部材において出射部を露出させる露出開口部の縁が反射表示部材に映り込むことを抑制することができる。この結果、表示装置は、適正な視認性を確保することができる、という効果を奏する。
【図面の簡単な説明】
【００１２】
【図１】図１は、実施形態に係る表示装置の概略構成を表す模式的な斜視図である。
【図２】図２は、実施形態に係る表示装置の概略構成を表す模式的な部分断面図である。
【発明を実施するための形態】
【００１３】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１４】
［実施形態］
図１、図２に示す本実施形態に係る表示装置１は、車両に適用され、車載メータを構成するものである。表示装置１は、例えば、車両のダッシュボードに設けられたインストルメントパネル内に搭載される。表示装置１は、車両の運転に供される情報として当該車両に関する種々の可視情報を表示する。以下、各図を参照して表示装置１の構成について詳細に説明する。
【００１５】
なお、図１等に示す表示装置１の第１方向としての奥行き方向Ｘとは、典型的には、この表示装置１が適用される車両の前後方向、さらに言えば、車両の全長方向に相当する。また、表示装置１の前面側とは、奥行き方向Ｘにおいて車両の運転席と対面する側であり、典型的には、当該運転席に座った運転者によって視認される側である。一方、表示装置１の背面側とは、奥行き方向Ｘにおいて前面側とは反対側であり、典型的には、インストルメントパネルの内部に収容される側である。また、表示装置１の第２方向としての幅方向Ｙとは、典型的には、この表示装置１が適用される車両の車幅方向、さらに言えば、車両の全幅方向に相当する。以下の説明では、表示装置１の幅方向Ｙにおいて、当該表示装置１の前面に向かって左側を幅方向Ｙ左側、向かって右側を幅方向Ｙ右側という場合がある。表示装置１の第３方向としての高さ方向Ｚとは、典型的には、この表示装置１が適用される車両の高さ方向、さらに言えば、車両の車高方向に相当する。高さ方向Ｚは、車両が水平面に位置した状態で鉛直方向に沿った方向である。以下の説明では、表示装置１の高さ方向Ｚにおいて、鉛直方向上側を高さ方向Ｚ上側、鉛直方向下側を高さ方向Ｚ下側という場合がある。以下の説明で用いる各方向は、特に断りのない限り、表示装置１の各構成が相互に組み付けられ当該表示装置１がインストルメントパネルに組み付けられた状態での方向を表す。
【００１６】
表示装置１は、筐体２と、表示構造体３と、表示部４と、反射表示部材５と、マスク部材６と、半透明部材７とを備える。表示装置１は、筐体２内に各部が収容される。そして、表示装置１は、表示部４からマスク部材６、半透明部材７を介して反射表示部材５に向けて表示光を出射し、当該反射表示部材５で反射した表示光による像５Ａによって運転者等に種々の視覚情報を提示するものである。このとき、表示装置１は、例えば、反射表示部材５において、表示構造体３に対して表示光による像５Ａを重畳させて表示させる。
【００１７】
具体的には、筐体２は、表示装置１の各部を収容すると共に、予め定められた目視位置（アイポイント）ＥＰ側に開口した目視側開口部２５、及び、半透明部材７が嵌められる嵌合開口部２６を有するものである。筐体２は、例えば、絶縁性の合成樹脂によって形成される。筐体２は、例えば、筐体本体、背面カバー、見返し、上面フード等の複数の部材が組み合わせられることで中空箱状に形成される。筐体２は、内部の収容空間部２１に表示構造体３、表示部４、反射表示部材５、マスク部材６、半透明部材７等を収容する。筐体２は、この他、収容空間部２１に制御回路や駆動回路等、表示装置１の各部を制御、駆動するための種々の部品も収容する。ここでは、収容空間部２１は、見返し壁部２２によって相互に区画された第１空間部２３、及び、第２空間部２４を含む。見返し壁部２２は、奥行き方向Ｘに沿って延在し、高さ方向Ｚに対して収容空間部２１を第１空間部２３と第２空間部２４とに区画する。第１空間部２３は、見返し壁部２２を境界として高さ方向Ｚの下側に位置し、第２空間部２４は、見返し壁部２２を境界として高さ方向Ｚの上側に位置する。第１空間部２３、第２空間部２４は、共に奥行き方向Ｘの背面側が閉塞している。そして、第２空間部２４は、奥行き方向Ｘの前面側も閉塞している。一方、第１空間部２３は、筐体２に形成された目視側開口部２５を介して奥行き方向Ｘの前面側に向けて開口している。言い換えれば、目視側開口部２５は、奥行き方向Ｘの前面側にて筐体２の内外を連通し、第１空間部２３は、当該目視側開口部２５の奥行き方向Ｘの背面側に位置する。第１空間部２３は、奥行き方向Ｘの前面側、ここでは、目視位置ＥＰから目視側開口部２５を介して直接的に目視可能な位置に表示構造体３、反射表示部材５を収容する。一方、第２空間部２４は、当該目視位置ＥＰから直接的に目視不能な位置に表示部４を収容する。そして、筐体２は、第１空間部２３と第２空間部２４との間に介在する見返し壁部２２に嵌合開口部２６が形成されており、当該嵌合開口部２６にマスク部材６、半透明部材７が組み付けられる。嵌合開口部２６は、見返し壁部２２を貫通し第１空間部２３と第２空間部２４とを連通している。
【００１８】
ここで、上述の目視位置ＥＰは、典型的には、車両におけるいわゆるアイレンジ内に位置するものとして予め想定される。ここで、アイレンジとは、「自動車の運転者アイレンジ」であり、車両に応じて予め定まる運転者の視点が位置する領域に相当する。アイレンジは、典型的には、車両において運転者の目の位置の分布を統計的に表したものであり、例えば、運転者が運転席に座った状態で所定割合（例えば、９５％）の運転者の目の位置が含まれる領域に相当する。
【００１９】
表示構造体３は、反射表示部材５と共に筐体２の第１空間部２３内に収容されるものである。表示構造体３は、第１空間部２３内において、目視位置ＥＰから目視側開口部２５を介して直接的に目視可能な位置に、種々の支持構造を介して支持される。ここでは、表示構造体３は、第１空間部２３内において、後述する反射表示部材５の目視位置ＥＰ側とは反対側、すなわち、反射表示部材５の奥行き方向Ｘの背面側に設けられる。表示構造体３は、実体を伴う構造物である。表示構造体３は、例えば、種々の加飾を施すための加飾部材、指針によって種々の計測値を指し示すアナログ式計器、車両に関する種々の情報を実像画像として表示する画像表示器等である。ここでは、表示構造体３は、一例として、略円環状に形成された加飾リングであるものとして説明するがこれに限らない。またここでは、表示装置１は、第１空間部２３内に、表示構造体３を照らすための加飾用光源３１を備える。加飾用光源３１は、例えば、第１空間部２３内において、表示構造体３の高さ方向Ｚの上側に設けられる。加飾用光源３１は、例えば、ＬＥＤ（Ｌｉｇｈｔ  Ｅｍｉｔｔｉｎｇ  Ｄｉｏｄｅ）素子等によって構成されるがこれに限らない。表示装置１は、表示構造体３を加飾体として視認させる際に加飾用光源３１から表示構造体３に向けて光を照射することで、当該加飾用光源３１によって表示構造体３を照らすことができる。
【００２０】
表示部４は、車両に関する情報を表す表示光を出射可能なものである。表示部４は、表示光を出射するデバイスとして、例えば、薄型の液晶ディスプレイ、プラズマディスプレイ、有機ＥＬディスプレイ等を用いることができる。より具体的には、表示部４は、出射部４１、及び、枠部４２を有する。出射部４１は、表示部４を構成する主たる部分であり、後述する反射表示部材５に向けて表示光を出射する部分である。出射部４１が出射する表示光は、反射表示部材５に表示させる像５Ａを表す表示光であり、少なくとも可視光域成分の光を含む。ここで、可視光域成分の光とは、人が視認できる可視光領域の波長成分の光であり、例えば、波長が３６０〜８３０ｎｍの範囲の成分の光である。出射部４１が表示光を出射する出射面（出射領域）４１ａは、例えば、略矩形状に形成される。枠部４２は、出射部４１を囲う枠状の部分である。枠部４２は、略矩形状の出射面４１ａを有する出射部４１を４方から囲うように略矩形枠状に形成される。ここでは、枠部４２は、出射部４１の出射面４１ａ側とは反対側の面を覆う背板も含んで構成されている。表示部４は、出射部４１、及び、枠部４２の全体が第２空間部２４内に収容される。表示部４は、第２空間部２４内において、目視位置ＥＰから直接的に目視不能な位置に、種々の支持構造を介して支持される。表示部４は、出射部４１の出射面４１ａが見返し壁部２２の嵌合開口部２６と対向して第１空間部２３側を向く位置関係で、第２空間部２４内に支持される。表示部４は、第２空間部２４側に位置する出射部４１の出射面４１ａから、当該嵌合開口部２６を介して、第１空間部２３側に位置する反射表示部材５に向けて表示光を出射する。言い換えれば、嵌合開口部２６は、第２空間部２４側に位置する出射部４１の出射面４１ａが出射した表示光を、反射表示部材５が位置する第１空間部２３側に導出するための光路開口を構成する。
【００２１】
反射表示部材５は、表示部４から出射された表示光を予め定められた目視位置ＥＰ側に反射するものである。反射表示部材５は、表示部４から出射された表示光によって種々の可視情報が表示される。反射表示部材５は、上述した表示構造体３と共に筐体２の第１空間部２３内に収容されるものである。反射表示部材５は、第１空間部２３内において、目視位置ＥＰから目視側開口部２５を介して直接的に目視可能な位置に、種々の支持構造を介して支持される。ここでは、反射表示部材５は、第１空間部２３内において、上述した表示構造体３の目視位置ＥＰ側、すなわち、表示構造体３の奥行き方向Ｘの前面側に設けられる。反射表示部材５は、表示構造体３の奥行き方向Ｘの前面側の全体を覆うように設けられる。ここでは、反射表示部材５は、略板状に形成され、表示部４側を向くように傾斜して設けられる。すなわち、反射表示部材５は、高さ方向Ｚの上側から下側に向かうにしたがって奥行き方向Ｘの前面側に向かうように傾斜して設けられる。そして、反射表示部材５は、第１空間部２３を、奥行き方向Ｘの前面側の空間部（目視位置ＥＰ側の空間部）と背面側の空間部（表示構造体３側の空間部）とに仕切っている。
【００２２】
本実施形態の反射表示部材５は、入射する可視光域成分の光の一部を反射すると共に、入射する可視光域成分の光の他の一部を透過させる半透過性の部材、いわゆるハーフミラーである。反射表示部材５は、透明な合成樹脂やガラス等により形成された本体部と、ハーフミラー層とを有する。ハーフミラー層は、本体部の表面に蒸着等により形成された、金属又は無機多層薄膜などである。反射表示部材５は、表示構造体３からの可視光域成分の光を透過させ、目視位置ＥＰにおいて表示構造体３を視認可能とする。その上で、反射表示部材５は、表示部４から出射された表示光を目視位置ＥＰ側に反射することで像５Ａを虚像として表示する。像５Ａは、反射表示部材５で目視位置ＥＰ側に反射した表示光による反射像であり、目視位置ＥＰから視認可能ないわゆる虚像である。ここでは、反射表示部材５は、目視位置ＥＰから視て表示構造体３と重畳する位置に表示光による像５Ａを表示させる。つまり、反射表示部材５は、表示光による像５Ａが表示構造体３とほぼ重なる位置に結像するように配置されている。像５Ａは、車両に関する種々の可視情報を表す。図１に例示する像５Ａは、例えば、軸線を回動中心として回動する指針の画像、及び、当該指針によって指し示される目盛等の指標部の画像を含み、当該表示構造体３が構成する加飾リングと共に種々の計測値を指し示す計器を構成する画像である。表示光による像５Ａは、この他、例えば、車両の速度、積算走行距離、冷却水温、走行用動力源の出力回転数、燃料残量、バッテリ蓄電量、ナビゲーション情報、地図情報、交差点情報、各種の警告灯（ウォーニングランプ、いわゆるテルテール）、シフトポジションインジケータ、方向指示記号等の車両情報に応じた種々の図柄、記号、文字列等の画像を含んでいてもよい。
【００２３】
マスク部材６は、表示部４による表示光の出射方向側、すなわち、反射表示部材５側から当該表示部４の一部を覆うものである。マスク部材６は、表示部４と反射表示部材５との間に介在する。マスク部材６は、例えば、略板状に形成された絶縁性の合成樹脂に、艶消しの黒色塗装が施されることで構成される。具体的には、マスク部材６は、マスク部６１、及び、露出開口部６２を有する。マスク部６１は、表示部４の枠部４２の反射表示部材５側を覆う部分である。マスク部６１は、少なくとも枠部４２の全体を反射表示部材５側から覆うように略矩形枠状に形成される。マスク部６１は、表示部４の出射部４１の一部（例えば、枠部４２の近傍の部分）も反射表示部材５側から覆う構成であってもよい。一方、露出開口部６２は、表示部４の出射部４１を反射表示部材５側に露出させる部分である。露出開口部６２は、マスク部材６を貫通する貫通孔として形成される。露出開口部６２は、少なくとも出射部４１の出射面４１ａの一部、ここでは、大部分を反射表示部材５側に露出させるように略矩形状に形成される。マスク部材６は、マスク部６１が反射表示部材５側から枠部４２を覆い、露出開口部６２が反射表示部材５側から出射部４１の出射面４１ａを露出させる位置関係で、見返し壁部２２に組み付けられる。マスク部材６は、例えば、見返し壁部２２に形成された嵌合開口部２６内に嵌め込まれるようにして組み付けられる。露出開口部６２は、嵌合開口部２６と共に、第２空間部２４側に位置する出射部４１の出射面４１ａが出射した表示光を、反射表示部材５が位置する第１空間部２３側に導出するための光路開口を構成する。
【００２４】
半透明部材７は、マスク部材６の反射表示部材５側を覆い、可視光域成分の光を減光するものである。半透明部材７は、マスク部材６と反射表示部材５との間に介在する。半透明部材７は、可視光域成分の光を透過する光透過性を有しかつ透過する際に可視光域成分の光を減光する部材によって形成される。半透明部材７は、例えば、いわゆるスモークガラスによって構成されるがこれに限らず、透明ガラスにスモークフィルムを設けることで構成されてもよい。半透明部材７は、所定の透過率で光を透過する。つまり、半透明部材７は、入射する光の光量に対して出射する光の光量を低減し、輝度を抑制する。半透明部材７は、可視光域成分のうち、より減光したい成分の色彩、ここでは一例としてマスク部材６と同色系の暗色系のスモークガラスを使用することが好ましい。また、本実施形態の半透明部材７は、反射表示部材５側の表面に表面反射を低減する反射防止膜（Ａｎｔｉ−ｒｅｆｌｅｃｔｉｖｅ  ｃｏａｔｉｎｇ）７ａが施されている。半透明部材７は、マスク部材６の全面を反射表示部材５側から覆う位置関係で、見返し壁部２２に組み付けられる。半透明部材７は、例えば、見返し壁部２２に形成された嵌合開口部２６内に嵌め込まれるようにしてマスク部材６に対して反射表示部材５側に重ねて組み付けられる。
【００２５】
本実施形態の半透明部材７は、少なくとも目視位置ＥＰから反射表示部材５を介して視認可能な領域Ｔ１の全体を覆う大きさ、位置に設けられる。つまり、この表示装置１は、目視位置ＥＰから反射表示部材５を介して視認可能な領域Ｔ１の全体が半透明部材７によって覆われている。これにより、この表示装置１は、反射表示部材５において目視位置ＥＰから目視側開口部２５を介して視認可能な領域Ｔ２の全体に半透明部材７が映り込むこととなる。ここでは、半透明部材７が嵌められる嵌合開口部２６は、縁が目視位置ＥＰから反射表示部材５を介して視認可能な領域Ｔ１の外側に位置するように形成される。言い換えれば、嵌合開口部２６は、反射表示部材５で目視位置ＥＰ側に反射する当該嵌合開口部２６の縁の像が反射表示部材５において目視位置ＥＰから目視側開口部２５を介して視認可能な領域Ｔ２の範囲外に位置するように形成される。
【００２６】
上記のように構成される表示装置１は、表示部４の出射部４１の出射面４１ａから出射された表示光が筐体２の嵌合開口部２６、マスク部材６の露出開口部６２、半透明部材７を介して反射表示部材５に至る。そして、表示装置１は、当該表示光が反射表示部材５によって目視位置ＥＰ側に反射される。この構成により、表示装置１は、表示光による像５Ａが当該反射表示部材５に表示される。この場合、表示装置１は、当該反射表示部材５で反射した表示光による像５Ａが表示構造体３に重畳されて表示され、運転者等に種々の視覚情報を提示する。
【００２７】
以上で説明した表示装置１は、表示部４の出射部４１から出射された表示光を反射表示部材５によって目視位置ＥＰ側に反射させる。この構成により、表示装置１は、当該反射表示部材５に対して目視位置ＥＰから視認可能なように表示光による表示を行う。この場合に、表示装置１は、表示部４の出射部４１を囲う枠部４２がマスク部材６のマスク部６１によって覆われていることで、枠部４２や当該枠部４２と出射部４１との境界線が反射表示部材５に映り込むことを防止することができる。その上で、表示装置１は、当該マスク部材６の反射表示部材５側が半透明部材７によって覆われていることで、マスク部材６において出射部４１を露出させる露出開口部６２の縁（いわゆる見切り線）が反射表示部材５に映り込むことを抑制することができる。この結果、表示装置１は、反射表示部材５に映る表示光による表示を視認させる際に煩わしさを感じさせ難くすることができ、適正な視認性を確保することができる。
【００２８】
ここでは、以上で説明した表示装置１は、反射表示部材５において、目視位置ＥＰから視て表示構造体３と重畳する位置に表示光による像５Ａが表示される。この構成により、表示装置１は、表示構造体３と像５Ａとを組み合わせたより多様な表示を行うことができる。その上で、表示装置１は、例えば、仮に加飾用光源３１が消灯し表示構造体３が照らされていないような状態であっても、上記のように枠部４２や露出開口部６２の縁の反射表示部材５への映り込みを抑制することができるので、適正な視認性を確保することができる。
【００２９】
さらに、以上で説明した表示装置１は、半透明部材７が目視位置ＥＰから反射表示部材５を介して視認可能な領域Ｔ１の全体を覆う。この構成により、表示装置１は、半透明部材７の縁（いわゆる見切り線）等が反射表示部材５の領域Ｔ２に映り込むことを防止することができるので、この点でも適正な視認性を確保することができる。
【００３０】
さらに、以上で説明した表示装置１は、半透明部材７が嵌められる嵌合開口部２６の縁が目視位置ＥＰから反射表示部材５を介して視認可能な領域Ｔ１の外側に位置する。この構成により、表示装置１は、嵌合開口部２６の縁（いわゆる見切り線）等が反射表示部材５に映り込むことを防止することができるので、この点でも適正な視認性を確保することができる。
【００３１】
さらに、以上で説明した表示装置１は、半透明部材７の反射表示部材５側の表面に反射防止膜７ａが施される。この構成により、表示装置１は、運転者等の顔や周囲の物体が反射表示部材５を介して半透明部材７に映り込むことを抑制することができるので、煩わしさを感じさせ難くすることができ、この点でも適正な視認性を確保することができる。
【００３２】
なお、上述した本発明の実施形態に係る表示装置は、上述した実施形態に限定されず、特許請求の範囲に記載された範囲で種々の変更が可能である。
【００３３】
以上の説明では、表示装置１は、半透明部材７が嵌合開口部２６に嵌められ、嵌合開口部２６の縁が目視位置ＥＰから反射表示部材５を介して視認可能な領域Ｔ１の外側に位置するものとして説明したがこれに限らない。例えば、表示装置１は、嵌合開口部２６の縁が領域Ｔ１の内側に位置していてもよい。そして、表示装置１は、半透明部材７が嵌合開口部２６に嵌められる構成ではなく、嵌合開口部２６を超えて領域Ｔ１の全体を覆うように設けられてもよい。この場合、表示装置１は、嵌合開口部２６の縁が領域Ｔ１の内側に位置しているものの、当該嵌合開口部２６の縁が半透明部材７によって覆われていることで、当該縁が反射表示部材５の領域Ｔ２に映り込むことを抑制することができる。なお、表示装置１は、この場合に、半透明部材７が嵌合開口部２６に嵌められて設けられる構成とされてもよい。この場合であっても、表示装置１は、上記のように少なくともマスク部材６の反射表示部材５側が半透明部材７によって覆われていることで、露出開口部６２の縁が反射表示部材５に映り込むことを抑制することができる。
【００３４】
以上の説明では、半透明部材７は、反射表示部材５側の表面に反射防止膜７ａが施されるものとして説明したがこれに限らない。
【００３５】
以上の説明では、反射表示部材５は、表示構造体３からの可視光域成分の光を透過させると共に目視位置ＥＰから視て表示構造体３と重畳する位置に表示光による像５Ａを表示させるハーフミラーであるものとして説明したがこれに限らない。反射表示部材５は、例えば、車両のウインドシールド（いわゆるフロントガラス）によって構成されてもよいし、ウインドシールドとは別体に形成されるコンバイナによって構成されてもよい。つまり、表示装置は、いわゆるヘッドアップディスプレイ（ＨＵＤ：Ｈｅａｄ  Ｕｐ  Ｄｉｓｐｌａｙ）を構成するものであってもよい。この場合、表示装置１は、表示構造体３を備えない構成であってもよい。
【符号の説明】
【００３６】
１    表示装置
２    筐体
３    表示構造体
４    表示部
５    反射表示部材
５Ａ    像
６    マスク部材
７    半透明部材
７ａ    反射防止膜
２５    目視側開口部
２６    嵌合開口部
４１    出射部
４２    枠部
６１    マスク部
６２    露出開口部
ＥＰ    目視位置
Ｔ１、Ｔ２    領域
【図１】
2018159660.tif 000003
【図２】
2018159660.tif 000004